(57)【要約】【課題】携帯した際にもウチワ本体の形状を変形させないで、ウチワ本体の形状や描かれた図柄や文字などのデザインを常に目視可能とする。また、部品点数を少なくする事により生産コストおよびウチワの重量を軽減し利用者の使用時などの負担を軽減する。【解決手段】ウチワ本体に空けられた任意の大きさの穴に、ウチワの柄および柄の先端部分を湾曲させ穴に通し、ウチワの先端部分が本体の穴を通過した後に、ウチワの柄および柄の先端部分に、形状が自己復帰したり、形状を自己復帰させようとする力が働くためウチワの先端が本体の穴から抜けなくなりウチワの本体とウチワの柄で輪をつくる事によって、ウチワに携帯する為の機能をもたせる。【選択図】図１
2013039238.tif 000002
【特許請求の範囲】
【請求項１】
ウチワ本体に空けられた任意の大きさの穴に、ウチワの柄および柄の先端部分を湾曲させ穴に通し、ウチワの先端部分が本体の穴を通過した後に、ウチワの柄および柄の先端部分に、形状が自己復帰したり、形状を自己復帰させようとする力が働くためウチワの先端が本体の穴から抜けなくなりウチワの本体とウチワの柄で輪をつくる事によって、ウチワに携帯する為の機能をもたせ、ウチワ本体の形状を変化させる事なく携帯でき、ウチワ本体の形状や、ウチワ本体に描かれた図柄や文字などのデザインを携帯した際にも容易に視認してもらえ、部品点数を最小限にする事により生産コストの軽減と、ウチワの重量を軽減する事で利用者の負担を最小限に軽減できることを特徴とする携帯用ウチワ。
【発明の詳細な説明】
【技術分野】
【０００１】
本発明は、携帯する為の機構、携帯方法および携帯する為の方式が容易であるので誰でも簡単に使用できる。ウチワ本体に空けられた任意の大きさの穴に、ウチワの柄部分や柄の先端部分を湾曲させ本体に空けられた穴に通し、貫通させた後に柄の先端部分の形状を自己復帰させる事によって穴から抜けなくする事で、ウチワ本体とウチワの柄で輪を作る事によりウチワに携帯する為の機能をもたせ、結果として部品点数を最小限に抑える事ができ生産コストの削減と、重量の削減により携帯する際の使用者の負担が軽減される。
また、携帯する際にも本体の形状などを変形させる事がないのを特徴とし、その為に本体の形状および本体に描かれた文字および図柄等のデザインが隠される事がなく、そのデザイン等が周囲から容易に視認され易い、携帯用ウチワに関するものである。
【背景技術】
【０００２】
ウチワの中で、携帯用ウチワは、扇子の様に本体等を折りたたむ方式や、本体の形状を丸めたり筒状等にしたり、組み立て式や伸縮式にしたり、面積や体積を縮小する事により携帯し易くするものであった。鞄や袋、リュック等に入れてもかさばらない利点があるので、実用に供されている。
実用の携帯用ウチワは、鞄などへの収納性や、持ち運びの容易性の為のコンパクト化のみで実用上十分であった。
【０００３】
しかし携帯する為の機構が複雑であったり、その機構の為の部品点数が増え生産コストや重量が増加するという欠点があった。
また、携帯している時は折りたたまれたりパーツごとへ分解する等で縮小化されたりし、鞄等の中に収納されるなどして、本体の印字や図柄および本体の形状などを、視認してもらう事が容易ではなく、本体の印字や図柄および本体の形状などによる宣伝効果や印象に残るようにアピールするという点においては、視野確認しづらいという欠点があった。
【０００４】
この改善策として、図２および図３で見てとれるように、柄部分や柄の先端部分を湾曲させ本体に空けられた穴を通過させ、その後に素材の自己復帰性により形状が元に戻ったり、また戻ろうとする力が働く為に、柄の先端部分が本体の穴を通過した後に穴から抜け戻らなくなり、本体と柄の部分で輪を作って固定せれるので、図１で見てとれるように、折りたたんだりパーツごとへ分解する等で縮小化されたりする事なくズボンやスカート等のベルトなどに取り付けたり鞄の取っ手等に取り付けたりして携帯する方法がある。
【先行技術文献】
【特許文献】
【０００５】
【特許文献１】特開２００８−２９５９９６
【発明の概要】
【発明が解決しようとする課題】
【０００６】
解決しようとする問題点は、携帯する為の機構のための部品点数が増え生産コストや重量増加による使用者への負担が増える点と、携帯した際に本体の形状および本体に描かれた文字およびに図柄等のデザインが目視確認できない点である。
【課題を解決するための手段】
【０００７】
本発明は柔軟性および可塑性および自己復帰性に富んだペーパー状の素材で製作する事によって、図２で見てとれるように、柄部分や柄の先端部分を湾曲させ本体に空けられた穴に通し、図３で見てとれるように柄の先端部分が本体の穴を通過した後に素材の自己復帰製により形状が元に戻ったり、また戻ろうとする力が働く為、本体と柄の部分で輪を作って固定する事が可能になり、図１で見てとれるように、ウチワを折りたたんだりパーツごとへ分解する等で縮小化されたりする事なくズボンやスカート等のベルトなどに取り付けたり鞄の取っ手等に付けたりして携帯する方法がある。
この携帯する為の方式によることで部品点数が最小限に抑えられる。また本体の形状および本体に描かれた文字および図柄等のデザインが隠される事がなく、そのデザイン等が周囲から容易に視認され易くなる。
【発明の効果】
【０００８】
本発明の携帯用ウチワは、携帯する為の方式および機構またその素材により部品点数を最小限に抑えられることによって、生産コストの削減や、重量の削減により使用および携帯する際の使用者への負担軽減をできるという効果がある。
また、本発明品は携帯する際にも折りたたんだりパーツごとへ分解する事が無いため本体の形状を変形させる事がなく、携帯している際にもウチワ本体の形状および本体に描かれた文字およびに図柄等のデザインが他人から視野確認しやすいという利点、および効果がある。
【図面の簡単な説明】
【０００９】
【図１】図１は携帯用ウチワの携帯実施方法を示した説明図である。（実施例１）
【図２】図２は携帯用ウチワの携帯実施方法にいたるまでの過程を示した説明図である。（実施例２）
【図３】図３は携帯用ウチワの携帯実施方法を示した説明図である。（実施例３）
【図４】図４は携帯用ウチワの正面図である。本発明は正面と裏面が同じ形状をなしたペーパー状の形状のため、背面図、上面図、下面図、側面図は省略する。
【図５】図５は携帯用ウチワのパーツの説明図である。
【発明を実施するための形態】
【００１０】
ウチワを携帯する際にウチワ本体の形状および本体に描かれた文字およびに図柄等のデザインを他人から視野確認してもらうという目的と、最小限の部品点数で使用者への負担軽減を、デザイン性を損なわずに実現した。
【実施例１】
【００１１】
図１は、本発明の実施方法である。ベルトやズボン等に図１の様に本発明品を取り付け、携帯し持ち運びできる。
【実施例２】
【００１２】
図２の実施例は、携帯実施方法にいたるまでの過程を示した説明図である。図５の３のウチワの柄の先端を湾曲させ図４のＡの穴に入る大きさに折り曲げた図である。
【実施例３】
【００１３】
図３の実施例は、図２で湾曲させたウチワの柄の先端を、図５のＡの穴を通過させた後にウチワの先端の形状を自己復帰させ、図５のＡの穴から抜けなくさせた実施例である。図３のウチワの柄の先端部分の点線で示す部分は図５のＡの穴を通過しウチワ本体の表からは見えない部分を示す。
【産業上の利用可能性】
【００１４】
音楽のコンサートグッズやスポーツ観戦の応援グッズ、または店舗の宣伝グッズ等として、ウチワとしての使用もでき、身につけた際の宣伝効果も十分に期待でき、産業上の利用可能性はかなり大きなものである。
【符号の説明】
【００１５】
１      一点鎖線ＣとＤの間の部分、１がウチワ本体である
２      一点鎖線ＤとＥの間の部分、２がウチワの柄である
３      一点鎖線ＥとＦの間の部分、３がウチワの柄の先端である
Ａ      斜線Ａは切り取られて穴になっている部分をしめす
Ｂ      斜線Ｂは切り取られて穴になっている部分をしめす
【図１】
2013039238.tif 000003
【図２】
2013039238.tif 000004
【図３】
2013039238.tif 000005
【図４】
2013039238.tif 000006
【図５】
2013039238.tif 000007